(57)【要約】【課題】  家電製品（テレビ、ＤＶＤプレーヤ及びＣＤプレーヤ）などのリモコン発信機では、リモコン装置を水平近くに保ったまま操作部のボタン操作しなければならない不便さがあった。【解決手段】  リモコン装置の傾きに拘わらず、リモコン装置の先端に設置された回転式発信装置が水平を保つのため、操作者がリモコン装置の先端を手前に傾けて操作することができ、操作がしやすい。【選択図】図５
2009141923.tif 000002
【特許請求の範囲】
【請求項１】
リモコン装置（１）の先端及びその周辺部に、受信装置に信号を送る発信部（２）を配置した回転式発信装置（３）を備え、回転式発信装置（３）の下部にウエイト（４）を内蔵し、リモコン装置（１）の先端の上向方向の傾きに拘わらず回転式発信装置（３）が水平に保たれることを特徴とするリモコン装置。
【請求項２】
回転式発信装置（３）はリモコン装置（１）の先端部を上方に回転させたときには水平を保つよう自転するが、先端部を水平より下向きに傾けたときには回転式発信装置（３）に備えられたストッパー（５）により回転が阻止され、リモコン装置（１）と同じ傾きとなることを特徴とする請求項１記載のリモコン装置。
【請求項３】
回転式発信装置（３）とリモコン装置（１）の電気的な接続は電気コードなどにより、回転式発信装置（３）の回転軸（６）に設けられた孔を通し、回転軸（６）を支持するリモコン装置（１）に設けられた軸受（７）からリモコン装置（１）内に引き込むことを特徴とする請求項１記載のリモコン装置。
【発明の詳細な説明】
【技術分野】
【０００１】  この発明は、家電製品（テレビ、ＤＶＤプレーヤ及びＣＤプレーヤ）などのリモコン装置の先端に配置された発信装置が回転するリモコン装置に関するものである。
【背景技術】
【０００２】  従来のリモコン装置では、発信装置を受信装置に向ける必要があった。
【発明の開示】
【発明が解決しようとする課題】
【０００３】  これはつぎのような欠点があった。
家電製品（テレビ、ＤＶＤプレーヤ及びＣＤプレーヤ）などの従来のリモコン発信機では、リモコン装置を水平近くに保ったまま操作部のボタン操作などを行うため、体を前方に傾けて操作部をのぞき込みながら操作する、あるいは操作部がよく見えないまま操作するという不便さを伴っていた。
リモコン装置は、通常椅子などに座ったまま操作することが多く、操作部を目で見ながら操作するためにリモコン装置の先端を手前に傾けて操作する方が操作しやすいものである。
そこで、この発明は、先端を手前に傾けて操作しやすいリモコン装置を提供することを課題としている。
【発明を解決するための手段】
【０００４】  以上の課題を解決するために、第一発明は、リモコン装置（１）の先端及びその周辺部に回転式発信装置（３）を備え、操作者がリモコン装置（１）の先端を手前に傾けて操作しても、内蔵されたウエイト（４）が回転式発信装置（３）を水平を保つので、受信装置に信号を送信することが可能となることを特徴とするリモコン装置である。
また、第二発明は、操作者が高い位置からリモコン装置（１）の先端を下げて操作する場合に、回転式発信装置（３）はストッパー（５）によりリモコン装置（１）と同じ傾きとなるので、リモコン装置（１）の先端を向けたままの方向で操作が可能となること特徴とするリモコン装置である。
また、第三発明は回転式発信装置（３）がリモコン装置（１）とが電気的接続を確保し、回転式発信装置（３）の発信部（２）から信号を送信できることが可能となることを特徴としたリモコン装置である。
【発明の効果】
【０００５】  第一発明により、リモコン装置を操作者が手前に傾けたままの操作できるので、操作が楽になり、第二発明では操作者が高い位置からでも操作が可能となる。
また、第三発明は、第一発明と第二発明を可能にするためのものである。
【発明を実施するための最良の形態】
【０００６】  この発明の一実施形態について説明する。
図１は、リモコン装置（１）の先端に発信部（２）を配置した回転式発信装置（３）が設けられているいることを示すリモコン装置の全体斜視図である。【０００７】  図２は、回転式発信装置（３）がリモコン装置（１）の先端の収納部（８）に収納されることを示す図である。
収納部（８）の左右に回転式発信装置（３）の回転軸（６）を保持する軸受（７）を設ける。
回転式発信装置（３）は、回転式発信装置（３）の回転軸（６）が軸受（７）にはめ込まれ、リモコン装置（１）の収納部（８）に設置される。【０００８】  図３は、回転式発信装置（３）内の発信装置とリモコン装置（１）内の制御装置とが電気コード（９）などにより接続されることを示す図である。
電気コード（９）などは、回転式発信装置（３）の回転軸（６）に設けられた孔を通し、回転軸（６）を支持するリモコン装置（１）に設けられた軸受（７）からリモコン装置（１）内に引き込まれ接続される。【０００９】  図４は、収納部（８）に、回転式発信装置（３）がリモコン装置（１）に設置されたことを示す縦断透視図である。
収納部（８）は、回転式発信装置（３）がリモコン装置（１）に接触せずに回転できるだけの容量をもっている。
また、回転式発信装置（３）に備えられたストッパー（５）とリモコン装置（１）に設けられたストッパー受け部（１０）の関係を示しており、回転式発信装置（３）の右回転が、ストッパー（５）がストッパー受け部（１０）により阻止される。【００１０】  図５は、回転式発信装置（３）がリモコン装置（１）の傾きに対して、水平を保っていることを示す縦断透視図である。
操作者がリモコン装置（１）の先端を手前に傾けて操作する際、回転式発信装置（３）が底部に収納されたウエイト（４）により、回転軸（６）を中心に左回転し、水平を保つ。
ウエイト（４）は、回転式発信装置（３）が水平に保たれるだけの重量を有するする。【００１１】  図６は、リモコン装置（１）の先端が下向きに傾けたときに、回転式発信装置（３）が同じ傾きとなることを示す横断透視図である。
操作者が立つなど高い位置から操作する場合には、リモコン装置（１）の先端を下向きにることとなるが、回転式発信装置（３）に備えられたストッパー（５）がリモコン装置（１）のストッパー受け部（１０）により、回転式発信装置（３）の回転が阻止され、リモコン装置（１）の傾きに追従する。
【図面の簡単な説明】
【００１２】
【図１】  リモコン装置の全体斜視図である。
【図２】  回転式発信装置（３）がリモコン装置（１）の先端の収納部（８）に収納されることを示す斜視図である。
【図３】  回転式発信装置（３）内の発信装置とリモコン装置（１）内の制御装置ととが電気コード（９）などにより接続されることを示す横断透視図である。
【図４】  収納部（８）に、回転式発信装置（３）がリモコン装置（１）に設置されていることを示す縦断透視図である。
【図５】  回転式発信装置（３）が、リモコン装置（１）の傾きに対して、水平を保っていることを示す縦断透視図である。
【図６】  リモコン装置（１）の先端が下向きに傾けたときに、回転式発信装置（３）が同じ傾きとなることを示す縦断透視図である。
【符号の説明】
【００１４】１  リモコン装置
２  発信部
３  回転式発信装置
４  ウエイト
５  ストッパー
６  回転軸
７  軸受
８  収納部
９  電気コード
１０  ストッパー受け部
【図１】
2009141923.tif 000003
【図２】
2009141923.tif 000004
【図３】
2009141923.tif 000005
【図４】
2009141923.tif 000006
【図５】
2009141923.tif 000007
【図６】
2009141923.tif 000008